(57)【要約】【課題】筐体の姿勢に応じて撮像指示キーを変更できる携帯電子機器及びその制御方法を提供すること。【解決手段】操作部側筐体と、複数のキーを有する操作部２１と、操作部側筐体の姿勢を取得する取得部４５２と、取得部４５２により取得される操作部側筐体の姿勢に応じて操作部２１における所定のキーを、撮像指示を行う撮像指示キーに設定する設定部４５３と、設定部４５３により設定される撮像指示キーによる撮像指示に応じて撮像を行うカメラ２３１とを備える。【選択図】図４
2010199769.tif 000002
【特許請求の範囲】
【請求項１】
筐体と、
複数のキーを有する操作部と、
前記筐体の姿勢を取得する取得部と、
前記取得部により取得される前記筐体の姿勢に応じて前記操作部における所定の前記キーを、撮像指示を行う撮像指示キーに設定する設定部と、
前記設定部により設定される前記撮像指示キーによる撮像指示に応じて撮像を行う撮像部とを備えることを特徴とする携帯電子機器。
【請求項２】
所定の基準方向に対する前記筐体の傾斜角度を検出する傾斜角度検出部を更に備え、
前記取得部は、
前記傾斜角度検出部により検出される前記傾斜角度に応じて前記筐体の姿勢を取得することを特徴とする請求項１に記載の携帯電子機器。
【請求項３】
前記設定部は、
前記筐体を前記操作部が設けられている面から視た場合における前記傾斜角度が時計回りに略９０度であるとき、前記所定のキーのうちの第１のキーを前記撮像指示キーに設定し、
前記筐体を前記操作部が設けられている面から視た場合における前記傾斜角度が反時計回りに略９０度であるとき、前記所定のキーのうちの前記第１のキーとは異なる第２のキーを前記撮像指示キーに設定することを特徴とする請求項２に記載の携帯電子機器。
【請求項４】
前記複数のキーは、直方体状の前記筐体の一の面に所定の間隔で配列されており、
前記第１のキーと前記第２のキーは、それぞれ前記一の面の隅に位置することを特徴とする請求項３に記載の携帯電子機器。
【請求項５】
前記筐体において、前記一の面に交差する側面には、前記撮像指示キーに設定されるキーが設けられていないことを特徴とする請求項４に記載の携帯電子機器。
【請求項６】
前記設定部は、
前記筐体を前記操作部が設けられている面から視た場合における前記傾斜角度が時計回りに略４５度であるとき、前記所定のキーのうちの第３のキーを前記撮像指示キーに設定し、
前記筐体を前記操作部が設けられている面から視た場合における前記傾斜角度が反時計回りに略４５度であるとき、前記所定のキーのうちの前記第３のキーとは異なる第４のキーを前記撮像指示キーに設定することを特徴とする請求項２又は３に記載の携帯電子機器。
【請求項７】
前記取得部は、
前記撮像部により撮像する際の前記筐体の姿勢を選択することにより前記筐体の姿勢を取得することを特徴とする請求項１に記載の携帯電子機器。
【請求項８】
前記筐体は、
第１筐体と、
第２筐体と、
前記第１筐体及び前記第２筐体を開閉可能に連結する連結部と、を有し、
前記設定部は、
前記第１筐体と前記第２筐体とが互いに開かれた状態で前記所定のキーを前記撮像指示キーに設定することを特徴とする請求項１から７に記載の携帯電子機器。
【請求項９】
所定の態様で報知を行う報知部と、
前記設定部により前記所定のキーを前記撮像指示キーに設定された場合、該撮像指示キーが設定されたことを前記報知部により前記所定の態様で報知させる報知制御部とを有することを特徴とする請求項１から８に記載の携帯電子機器。
【請求項１０】
筐体と、複数のキーを有する操作部と、を備える携帯電子機器の制御方法であって、
前記筐体の姿勢を取得する取得ステップと、
前記取得ステップにより取得される前記筐体の姿勢に応じて前記操作部における所定の前記キーを、撮像指示を行う撮像指示キーに設定する設定ステップと、
前記設定ステップにより設定される前記撮像指示キーによる撮像指示に応じて撮像を行う撮像ステップとを備えることを特徴とする携帯電子機器の制御方法。
【発明の詳細な説明】
【技術分野】
【０００１】
本発明は、撮像部を有する携帯電子機器及びその制御方法に関する。
【背景技術】
【０００２】
従来より、携帯電話機等の携帯電子機器は、操作部及び撮像部を有するものが普及している。このような携帯電子機器として、複数のキーを有する操作部と、操作部における所定のキーの操作による撮像指示に応じて撮像を行う撮像部と、を備える携帯電子機器が提案されている（例えば、特許文献１参照）。
【０００３】
特許文献１に記載の携帯電子機器は、撮像指示に応じて撮像を行う撮像部と、撮像部のぶれ量を検出するぶれ量検出部と、複数のキーを有する操作部と、複数のキーのうちのいずれか２つ以上のキーの操作毎にぶれ量検出部により撮影部のぶれ量を取得し、ぶれ量が少ないキーを撮影指示用のキーに設定するキー設定部とを備えている。
【先行技術文献】
【特許文献】
【０００４】
【特許文献１】特開２００７−２３３１３５号公報
【発明の概要】
【発明が解決しようとする課題】
【０００５】
ところで、携帯電子機器では、撮像部により撮像を行う際に、使用者が被写体を撮像し易い角度に筐体を傾斜させて撮像される場合も多い。しかし、撮像部により撮像指示を行うための撮像指示キーは、操作部における特定のキーに設定され、この特定のキーから変更できない場合が多い。したがって、筐体の姿勢（例えば、傾斜角度）によっては、撮像指示キーが操作しにくい場合があった。
【０００６】
本発明は、筐体の姿勢に応じて撮像指示キーを変更できる携帯電子機器及びその制御方法を提供することを目的とする。
【課題を解決するための手段】
【０００７】
本発明の携帯電子機器は、筐体と、複数のキーを有する操作部と、前記筐体の姿勢を取得する取得部と、前記取得部により取得される前記筐体の姿勢に応じて前記操作部における所定の前記キーを、撮像指示を行う撮像指示キーに設定する設定部と、前記設定部により設定される前記撮像指示キーによる撮像指示に応じて撮像を行う撮像部とを備えることを特徴とする。
【０００８】
また、所定の基準方向に対する前記筐体の傾斜角度を検出する傾斜角度検出部を更に備え、前記取得部は、前記傾斜角度検出部により検出される前記傾斜角度に応じて前記筐体の姿勢を取得することが好ましい。
【０００９】
また、前記設定部は、前記筐体を前記操作部が設けられている面から視た場合における前記傾斜角度が時計回りに略９０度であるとき、前記所定のキーのうちの第１のキーを前記撮像指示キーに設定し、前記筐体を前記操作部が設けられている面から視た場合における前記傾斜角度が反時計回りに略９０度であるとき、前記所定のキーのうちの前記第１のキーとは異なる第２のキーを前記撮像指示キーに設定することが好ましい。
【００１０】
また、前記複数のキーは、直方体状の前記筐体の一の面に所定の間隔で配列されており、前記第１のキーと前記第２のキーは、それぞれ前記一の面の隅に位置することが好ましい。
【００１１】
また、前記筐体において、前記一の面に交差する側面には、前記撮像指示キーに設定されるキーが設けられていないことが好ましい。
【００１２】
また、前記設定部は、前記筐体を前記操作部が設けられている面から視た場合における前記傾斜角度が時計回りに略４５度であるとき、前記所定のキーのうちの第３のキーを前記撮像指示キーに設定し、前記筐体を前記操作部が設けられている面から視た場合における前記傾斜角度が反時計回りに略４５度であるとき、前記所定のキーのうちの前記第３のキーとは異なる第４のキーを前記撮像指示キーに設定することが好ましい。
【００１３】
また、前記取得部は、前記撮像部により撮像する際の前記筐体の姿勢を選択することにより前記筐体の姿勢を取得することが好ましい。
【００１４】
また、前記筐体は、第１筐体と、第２筐体と、前記第１筐体及び前記第２筐体を開閉可能に連結する連結部と、を有し、前記設定部は、前記第１筐体と前記第２筐体とが互いに開かれた状態で前記所定のキーを前記撮像指示キーに設定することが好ましい。
【００１５】
また、所定の態様で報知を行う報知部と、前記設定部により前記所定のキーを前記撮像指示キーに設定された場合、該撮像指示キーが設定されたことを前記報知部により前記所定の態様で報知させる報知制御部とを有することが好ましい。
【００１６】
本発明の携帯電子機器の制御方法は、筐体と、複数のキーを有する操作部と、を備える携帯電子機器の制御方法であって、前記筐体の姿勢を取得する取得ステップと、前記取得ステップにより取得される前記筐体の姿勢に応じて前記操作部における所定の前記キーを、撮像指示を行う撮像指示キーに設定する設定ステップと、前記設定ステップにより設定される前記撮像指示キーによる撮像指示に応じて撮像を行う撮像ステップとを備えることを特徴とする。
【発明の効果】
【００１７】
本発明によれば、筐体の姿勢に応じて撮像指示キーを変更できる携帯電子機器及びその制御方法を提供することができる。
【図面の簡単な説明】
【００１８】
【図１】本発明の一実施形態である携帯電話機１の開状態における斜視図である。
【図２】閉状態の携帯電話機１を操作部側筐体２の背面２０Ｂ側から視た斜視図である。
【図３】携帯電話機１の機能を示すブロック図である。
【図４】第１実施形態の携帯電話機１の機能を示すブロック図である。
【図５】（ａ）〜（ｃ）は、操作部側筐体２の姿勢及びそれに対応する撮像指示キーの設定位置について示す図である。
【図６】（ａ）〜（ｃ）は、操作部側筐体２の姿勢及びそれに対応する撮像指示キーの設定位置について示す図である。
【図７】第１実施形態の携帯電話機１に係るカメラ２３１により撮像を行う際の動作について示すフローチャートである。
【図８】第２実施形態の携帯電話機１の機能を示すブロック図である。
【図９】選択表示部４５５により表示部３１に表示される選択メニューの具体例を示す図である。
【図１０】第２実施形態の携帯電話機１に係るカメラ２３１により撮像を行う際の動作について示すフローチャートである。
【発明を実施するための形態】
【００１９】
以下、本発明を実施するための好ましい実施形態について、図面を参照しながら説明する。
先ず、本発明の携帯電子機器の一実施形態としての携帯電話機１の基本構造について、図１及び図２を参照しながら説明する。
図１は、本発明の一実施形態である携帯電話機１の開状態における斜視図である。図２は、閉状態の携帯電話機１を操作部側筐体２の背面２０Ｂ側から視た斜視図である。
【００２０】
携帯電話機１は、筐体としての操作部側筐体（第１の筐体）２と、表示部側筐体（第２の筐体）３と、操作部側筐体２と表示部側筐体３とを連結する連結部４と、を備える。
【００２１】
操作部側筐体２は、図１及び図２に示すように、厚さの薄い略直方体状を有しており、一の面としての前面２０Ａを構成するフロントケース２ａと、背面２０Ｂを構成するリアケース２ｂ及びバッテリカバー２ｃと、を主体として構成される。また、この操作部側筐体２の内部には、携帯電話機１の各種動作を制御する制御部４５、各種情報を記憶するメモリ４４、及び加速度センサ４６（いずれも図３参照）等の複数の電子部品が搭載された回路基板（図示せず）が配置されている。
【００２２】
操作部側筐体２の前面２０Ａには、図１に示すように、所定の入力操作が行われる操作部２１と、マイク２２と、が配置される。前面２０Ａは、携帯電話機１を折り畳んだ状態で表示部側筐体３と向かい合う面である。
【００２３】
操作部２１は、複数のキーを有する。具体的には、操作部２１は、各種設定や電話帳機能やメール機能等の各種機能（アプリケーション）を作動させるための機能設定操作キー１３と、電話番号の数字やメール等の文字等を入力するためのテンキー等の入力操作キー１４と、各種操作における決定や上下左右方向のスクロール等を行う決定操作キー１５と、を備える。
【００２４】
また、操作部２１の機能設定操作キー１３、入力操作キー１４及び決定操作キー１５は、操作部側筐体２の前面２０Ａに所定の間隔で配列されている。
【００２５】
操作部２１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作部２１を構成する各キーが使用者により押圧されることで、各キーに割り当てられている機能に応じた動作が実行される。
【００２６】
マイク２２は、携帯電話機１の使用者が通話時に発した音声を入力するために用いられる。
【００２７】
操作部側筐体２の背面２０Ｂには、図２に示すように、カメラユニット２３及び音声出力部としてのスピーカ２４が配置される。背面２０Ｂは、前面２０Ａとは反対側の面である。また、側面２０Ｃは、操作部側筐体２の前面２０Ａ及び背面２０Ｂに交差する周面をいう。
【００２８】
カメラユニット２３は、カメラ（撮像部）２３１と、ライト２３２と、を備える。
カメラ２３１は、被写体を撮像し、画像情報を取得するために用いられる。ライト２３２は、カメラ２３１により撮像される被写体に光を照射する。
【００２９】
スピーカ２４は、携帯電話機１への電話の着信やメールの受信等をユーザに報知するための音声を出力する。
【００３０】
表示部側筐体３は、図１に示すように、厚さの薄い略直方体形状を有しており、前面３０Ａ側を構成するフロントケース３ａ及びフロントパネル３ｃと、背面側を構成するリアケース３ｂと、を主体として構成される。
表示部側筐体３の前面３０Ａには、各種情報を表示するための表示部３１と、通話の相手側の音声を出力するレシーバ３２と、が配置される。前面３０Ａは、携帯電話機１を折り畳んだ状態で操作部側筐体２と向かい合う面である。
【００３１】
表示部３１は、通信及び通話時の待受画像や所定の機能を動作させるためのアプリケーションに基づく画像等を表示する。
レシーバ３２は、通話の相手側の音声を出力する。
なお、表示部３１及びレシーバ３２は、携帯電話機１の閉状態において隠れる位置（露出しない位置）に配置されている。
【００３２】
表示部側筐体３の背面には、各種情報を表示するためのサブ表示部（図示せず）が配置される。背面は、前面３０Ａとは反対側の面である。つまり、サブ表示部は、携帯電話機１の閉状態であっても外部に露出する位置に配置されている。
【００３３】
表示部側筐体３に配置された表示部３１及びサブ表示部それぞれは、液晶パネルと、液晶パネルを駆動する駆動回路と、液晶パネルの背面側から光を照射するバックライト等の光源部とを有して構成される（いずれも図示せず）。
【００３４】
連結部４は、操作部側筐体２と表示部側筐体３とが相対的に動くようにこれらを連結している。この連結部４は、操作部側筐体２の上端部と表示部側筐体３の下端部とを連結している。
携帯電話機１は、連結部４を介して連結された操作部側筐体２と表示部側筐体３とを相対的に回転することにより、操作部側筐体２と表示部側筐体３とを互いに開いた状態（開状態）にしたり、操作部側筐体２と表示部側筐体３とを折り畳んだ状態（閉状態）にしたりできる。
【００３５】
次に、図３を参照しながら、携帯電話機１の機能について説明する。
図３は、携帯電話機１の機能を示すブロック図である。
携帯電話機１は、操作部２１と、マイク２２と、通信部４１と、画像処理部４２と、音声処理部４３と、メモリ４４と、制御部４５と、加速度センサ４６と、バイブレータ４７と、カメラ２３１と、を操作部側筐体２に備え、表示部３１と、レシーバ３２と、ドライバＩＣ３３と、を表示部側筐体３に備えている。
【００３６】
通信部４１は、メインアンテナ４１１及びＲＦ回路部４１２を備えて構成され、所定の通信先と通信を行う。通信部４１が通信を行う通信先としては、携帯電話機１と電話やメールの送受信を行う外部の端末装置や、携帯電話機１がインターネットの接続を行う外部のｗｅｂサーバ等の外部装置が挙げられる。
【００３７】
メインアンテナ４１１は、所定の使用周波数帯（例えば、８００ＭＨｚ）で外部装置と通信を行う。
ＲＦ回路部４１２は、メインアンテナ４１１によって受信した信号を復調処理し、処理後の信号を制御部４５に供給する。また、ＲＦ回路部４１２は、制御部４５から供給された信号を変調処理し、メインアンテナ４１１を介して外部装置（基地局）に送信する。
【００３８】
画像処理部４２は、制御部４５の制御に従って、所定の画像処理を行い、処理後の画像データをドライバＩＣ３３に出力する。ドライバＩＣ３３は、画像処理部４２から供給された画像データをフレームメモリ（図示せず）に蓄え、所定のタイミングで表示部３１に出力する。
【００３９】
音声処理部４３は、制御部４５の制御に従って、ＲＦ回路部４１２から供給された信号に対して所定の音声処理を行い、処理後の信号をレシーバ３２やスピーカ２４に出力する。
【００４０】
また、音声処理部４３は、制御部４５の制御に従って、マイク２２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に出力する。
【００４１】
レシーバ３２及びスピーカ２４は、制御部４５の制御に従って、音声処理部４３から供給された信号を外部に出力する。
【００４２】
メモリ４４は、例えば、ワーキングメモリを含み、制御部４５による演算処理に利用される。また、メモリ４４には、携帯電話機１上で動作する様々なアプリケーションが利用するデータやテーブル等が格納されている。なお、メモリ４４は、着脱可能な外部メモリであってもよい。
【００４３】
制御部４５は、携帯電話機１の全体を制御しており、通信部４１、画像処理部４２、表示部３１、音声処理部４３、スピーカ２４、レシーバ３２、バイブレータ４７等に対して所定の制御を行う。制御部４５の具体的な構成については後述する。
【００４４】
加速度センサ４６は、操作部側筐体２の位置の変動を加速度値として検知し、制御部４５に出力する。制御部４５（後述の傾斜角度検出部４５１）は、加速度センサ４６により出力された加速度値に基づいて、操作部側筐体２の姿勢を検出する。
【００４５】
バイブレータ４７は、操作部側筐体２の内部に取り付けられ、制御部４５の制御に従って振動を発生させる。このバイブレータ４７が発生させる振動が操作部側筐体２に伝達されることにより、携帯電話機１は振動する。
【００４６】
＜第１実施形態＞
以下に、携帯電話機１の機能を発揮するための構成と動作について詳述する。
先ず、第１実施形態の携帯電話機１の機能を発揮するための構成について、図４を参照しながら説明する。図４は、第１実施形態の携帯電話機１の機能を示すブロック図である。
【００４７】
図４に示すように、携帯電話機１は、加速度センサ４６と、カメラ２３１と、操作部２１と、メモリ４４と、制御部４５と、を備える。
【００４８】
メモリ４４は、加速度センサ４６により出力される加速度値と、加速度値に対応する操作部側筐体２の傾斜角度と、傾斜角度に対応する操作部側筐体２の姿勢と、を関連付けて記憶している。
【００４９】
制御部４５は、傾斜角度検出部４５１と、取得部４５２と、設定部４５３と、報知制御部４５４と、を備える。
傾斜角度検出部４５１は、所定の基準方向に対する操作部側筐体２の傾斜角度を検出する。具体的には、傾斜角度検出部４５１は、加速度センサ４６により加速度が出力されると、メモリ４４を参照し、加速度センサ４６により出力された加速度値に関連付けて記憶される操作部側筐体２の傾斜角度を読み出して、実際の操作部側筐体２の傾斜角度を検出する。なお、所定の基準方向については、後述する。
【００５０】
取得部４５２は、操作部側筐体２の姿勢を取得する。具体的には、取得部４５２は、傾斜角度検出部４５１により検出される傾斜角度に応じて操作部側筐体２の姿勢を取得する。詳細には、取得部４５２は、傾斜角度検出部４５１により検出される傾斜角度に応じてメモリ４４において傾斜角度と関連付けて記憶される操作部側筐体２の姿勢を取得する。
【００５１】
設定部４５３は、取得部４５２により取得される操作部側筐体２の姿勢に応じて操作部２１における所定のキーを、撮像指示を行う撮像指示キーに設定する。なお、「撮像指示キー」とは、カメラ２３１による撮像を行う際に撮像指示を行うキー（シャッターキー）である。
【００５２】
報知制御部４５４は、設定部４５３により操作部２１における所定のキーを撮像指示キーに設定した場合、その撮像指示キーが設定されたことを報知部により所定の態様で報知させる。ここで、例えば、表示部３１、操作部２１における各キーのバックライト（図示せず）等が報知部として機能する。また、所定の態様として、例えば、表示部３１に撮像指示キーの位置を表示する、撮像指示キーに設定された所定のキーのバックライトを点灯させる、撮像指示キーに設定された所定のキーのバックライトの色を変更させる等が例示される。
【００５３】
カメラ２３１は、設定部４５３により設定される撮像指示キーによる撮像指示に応じて撮像を行う。
【００５４】
次に、設定部４５３による具体的な撮像指示キーの設定方法について図５及び図６を参照しながら説明する。図５は、操作部側筐体２の姿勢を基準方向Ｄに対して略直交する方向に傾斜させた場合における操作部側筐体２の姿勢及びそれに対応する撮像指示キーの設定位置について示す図であり、図５（ａ）は、操作部側筐体２の姿勢が基準方向Ｄに略沿う方向である場合における撮像指示キーの設定位置を示す図である。
【００５５】
ここで、「基準方向Ｄ」とは、所定の基準方向に相当し、カメラ２３１が配置される操作部側筐体２の姿勢の基準となる方向をいう。具体的には、基準方向Ｄは、鉛直方向や水平方向等である。また、「操作部側筐体２の傾斜角度」とは、基準方向Ｄに対する操作部側筐体２の傾斜角度をいう。例えば、基準方向Ｄが鉛直方向の場合、操作部側筐体２の長手方向が鉛直方向に沿うときに傾斜角度が０度となる。
【００５６】
図５（ａ）に示すように、設定部４５３は、操作部側筐体２を操作部２１が設けられている面から視た場合における傾斜角度θ０が略０度であるとき、操作部２１における所定のキーのうちの決定操作キー１５を撮像指示キーに設定する。つまり、設定部４５３は、操作部側筐体２の姿勢が基準方向Ｄに略沿う方向であるとき、決定操作キー１５を撮像指示キーに設定する。なお、「傾斜角度θ０が略０度である」とは、０度を含めた一定の範囲であり、具体的には、例えば、基準方向Ｄに対する傾斜角度θ０が−１０〜１０度の範囲内であることをいう。
【００５７】
図５（ｂ）は、図５（ａ）から携帯電話機１を時計回りに回転させ、操作部側筐体２の姿勢を基準方向Ｄに対して略直交する方向に傾斜させた場合における撮像指示キーの設定位置を示す図である。
【００５８】
図５（ｂ）に示すように、設定部４５３は、操作部側筐体２を操作部２１が設けられている面から視た場合における傾斜角度θ１が時計回りに略９０度であるとき、操作部２１における所定のキーのうちの入力操作キー（第１のキー）１４ａを撮像指示キーに設定する。つまり、設定部４５３は、撮像指示キーを決定操作キー１５から入力操作キー１４ａに切り替える。なお、「傾斜角度θ１が時計回りに略９０度」とは、９０度を含めた一定の範囲であり、具体的には、例えば、基準方向Ｄに対する傾斜角度θ１が時計回りに８０〜１００度の範囲内であることをいう。
【００５９】
図５（ｃ）は、図５（ａ）から携帯電話機１を反時計回りに回転させ、操作部側筐体２の姿勢を基準方向Ｄに対して略直交する方向に傾斜させた場合における撮像指示キーの設定位置を示す図である。
【００６０】
図５（ｃ）に示すように、設定部４５３は、操作部側筐体２を操作部２１が設けられている面から視た場合における傾斜角度θ２が反時計回りに略９０度であるとき、操作部２１における所定のキーのうちの入力操作キー１４ａとは異なる入力操作キー（第２のキー）１４ｂを撮像指示キーに設定する。つまり、設定部４５３は、撮像指示キーを決定操作キー１５から入力操作キー１４ｂに切り替える。なお、「傾斜角度θ２が反時計回りに略９０度」とは、９０度を含めた一定の範囲であり、具体的には、例えば、基準方向Ｄに対する撮像方向Ｄ２の傾斜角度θ２が反時計回りに８０〜１００度の範囲内であることをいう。
【００６１】
図５（ｂ）及び（ｃ）に示すように、設定部４５３により撮像指示キーに設定された入力操作キー１４ａと入力操作キー１４ｂとは、それぞれ操作部側筐体２の前面２０Ａの隅に位置している。
【００６２】
また、操作部側筐体２において、前面２０Ａに交差する側面２０Ｃには、撮像指示キーに設定されるキーが設けられていない（図１及び図２参照）。
【００６３】
次に、操作部側筐体２の姿勢を基準方向Ｄに対して斜め方向に傾斜させた場合について図６を参照しながら説明する。図６は、操作部側筐体２の姿勢を基準方向Ｄに対して斜め方向に傾斜させた場合における操作部側筐体２の姿勢及びそれに対応する撮像指示キーの設定位置について示す図である。
【００６４】
図６（ａ）は、上述した図５（ａ）と同様に操作部側筐体２の姿勢が基準方向Ｄに略沿う方向である場合の撮像指示キーの設定位置を示す図である。図６（ａ）に示すように、設定部４５３は、操作部側筐体２を操作部２１が設けられている面から視た場合における傾斜角度θ０が略０度であるとき、操作部２１における所定のキーのうちの決定操作キー１５を撮像指示キーに設定する。
【００６５】
図６（ｂ）は、図６（ａ）から携帯電話機１を時計回りに回転させ、操作部側筐体２の姿勢を基準方向Ｄに対して斜め方向に傾斜させた場合における撮像指示キーの設定位置を示す図である。
【００６６】
図６（ｂ）に示すように、設定部４５３は、操作部側筐体２を操作部２１が設けられている面から視た場合における傾斜角度θ３が時計回りに略４５度であるとき、操作部２１における所定のキーのうちの入力操作キー（第３のキー）１４ｃを撮像指示キーに設定する。つまり、設定部４５３は、撮像指示キーを決定操作キー１５から入力操作キー１４ｃに切り替える。なお、「傾斜角度θ３が時計回りに略４５度」とは、４５度を含めた一定の範囲であり、具体的には、例えば、基準方向Ｄに対する撮像方向Ｄ２の傾斜角度θ３が時計回りに３５〜５５度の範囲内であることをいう。
【００６７】
図６（ｂ）は、図６（ａ）から携帯電話機１を反時計回りに回転させ、操作部側筐体２の姿勢を基準方向Ｄに対して斜め方向に傾斜させた場合における撮像指示キーの設定位置を示す図である。
【００６８】
図６（ｃ）に示すように、設定部４５３は、操作部側筐体２を操作部２１が設けられている面から視た場合における傾斜角度θ４が反時計回りに略４５度であるとき、操作部２１における所定のキーのうちの入力操作キー１４ｃとは異なる入力操作キー（第４のキー）１４ｄを撮像指示キーに設定する。つまり、設定部４５３は、撮像指示キーを決定操作キー１５から入力操作キー１４ｄに切り替える。なお、「傾斜角度θ４が反時計回りに略４５度」とは、４５度を含めた一定の範囲であり、具体的には、例えば、基準方向Ｄに対する傾斜角度θ４が反時計回りに３５〜５５度の範囲内であることをいう。
【００６９】
なお、上述した傾斜角度θ１〜θ４の範囲は、例示であり、上述した範囲に限定されない。
【００７０】
また、上述した図５及び図６に示すように、設定部４５３は、カメラ２３１により撮像を行う際に、操作部側筐体２及び表示部側筐体３とが互いに開かれた状態（開状態）で操作部２１における所定のキーを撮像指示キーに設定する。
【００７１】
次に、第１実施形態の携帯電話機１に係るカメラ２３１により撮像を行う際の動作について、図７を参照しながら説明する。図７は、第１実施形態の携帯電話機１に係るカメラ２３１により撮像を行う際の動作について示すフローチャートである。
【００７２】
ステップＳ１において、制御部４５は、操作部２１による所定の操作に応じてカメラ２３１を起動させる。所定の操作とは、例えば、操作部２１におけるカメラ２３１を起動させるためのカメラ起動キーの押下である。
【００７３】
ステップＳ２において、傾斜角度検出部４５１は、基準方向Ｄに対する操作部側筐体２の傾斜角度を検出する。
【００７４】
ステップＳ３において、取得部４５２は、傾斜角度検出部４５１により検出される傾斜角度に応じて操作部側筐体２の姿勢を取得する。
【００７５】
ステップＳ４において、設定部４５３は、取得部４５２により取得される操作部側筐体２の姿勢に応じて操作部２１における所定のキーを、撮像指示を行う撮像指示キーに設定する。
【００７６】
ステップＳ５において、報知制御部４５４は、設定部４５３により設定された撮像指示キーを、報知部により所定の態様で報知させる。
【００７７】
ステップＳ６において、制御部４５は、ステップＳ４において設定された撮像指示キーが一定期間内に押下されたか否かを判定する。撮像指示キーが押下された場合（Ｙｅｓ）には、ステップＳ７へ移る。一方、撮像指示キーが押下されない場合（Ｎｏ）には、ステップＳ２へ移る。
【００７８】
ステップＳ７において、カメラ２３１は、ステップＳ４において設定された撮像指示キーによる撮像指示に応じて被写体の撮像を行う。
【００７９】
第１実施形態の携帯電話機１によれば、例えば以下のような効果を奏する。
携帯電話機１は、操作部側筐体２と、複数のキーを有する操作部２１と、操作部側筐体２の姿勢を取得する取得部４５２と、取得部４５２により取得される操作部側筐体２の姿勢に応じて操作部２１における所定のキーを、撮像指示を行う撮像指示キーに設定する設定部４５３と、設定部４５３により設定される撮像指示キーによる撮像指示に応じて撮像を行うカメラ２３１とを備える。
【００８０】
これにより、携帯電話機１は、取得部４５２により取得される操作部側筐体２の姿勢に応じて、設定部４５３により操作部２１における複数のキーの中から所定のキーを撮像指示キーに設定する。したがって、操作部側筐体２の姿勢に応じて使用者が撮像指示を行いやすい位置に撮像指示キーが設定されるため、カメラ２３１による撮像を好適に行うことができる。
【００８１】
また、携帯電話機１は、基準方向Ｄに対する操作部側筐体２の傾斜角度を検出する傾斜角度検出部４５１を更に備え、取得部４５２は、傾斜角度検出部４５１により検出される傾斜角度に応じて操作部側筐体２の姿勢を取得する。これにより、携帯電話機１は、操作部側筐体２の姿勢を傾斜角度検出部４５１により検出される傾斜角度に応じて設定するため、正確に操作部側筐体２の姿勢を検出し、検出された姿勢により撮像指示キーを設定できる。したがって、撮像指示キーの設定をより好適に行うことができる。
【００８２】
ここで、操作部側筐体２を操作部２１が設けられている面から視た場合における傾斜角度が時計回りに略９０度、又は反時計回りに略９０度の場合、使用者は、携帯電話機１の四隅（操作部側筐体２の連結部４とは反対側の端部及び表示部側筐体３の連結部４とは反対側の端部）を保持してカメラ２３１による撮像を行う場合が多い（図５（ｂ）及び（ｃ）参照）。
【００８３】
第１実施形態の携帯電話機１によれば、設定部４５３は、操作部側筐体２を操作部２１が設けられている面から視た場合における傾斜角度θ１が時計回りに略９０度であるとき、操作部２１における所定のキーのうちの入力操作キー１４ａを撮像指示キーに設定する。また、設定部４５３は、操作部側筐体２を操作部２１が設けられている面から視た場合における傾斜角度θ２が反時計回りに略９０度であるとき、操作部２１における所定のキーのうちの入力操作キー１４ａとは異なる入力操作キー１４ｂを撮像指示キーに設定する。
【００８４】
これにより、例えば、使用者が左利きの場合には、撮像指示キーを入力操作キー１４ａに設定し、使用者が右利きの場合には、撮像指示キーを入力操作キー１４ｂに設定できる。したがって、使用者の利き手に関わらず、操作部側筐体２の姿勢に応じて使用者が撮像指示を行いやすい位置に撮像指示キーを設定できる。
【００８５】
また、第１実施形態の携帯電話機１によれば、設定部４５３により設定された入力操作キー１４ａと入力操作キー１４ｂとは、それぞれ操作部側筐体２の前面２０Ａの隅に位置している。これにより、例えば、使用者が携帯電話機１の四隅を保持してカメラ２３１による撮像を行う際（図５（ｂ）及び（ｃ）参照）に、使用者の利き手に関わらず、操作部側筐体２の姿勢に応じて使用者が撮像指示を行いやすい位置に撮像指示キーを設定できる。
【００８６】
また、第１実施形態の携帯電話機１では、操作部側筐体２において、前面２０Ａに交差する側面２０Ｃには、撮像指示キーに設定されるキーが設けられていない。しかし、第１実施形態の携帯電話機１によれば、操作部側筐体２及び表示部側筐体３の厚みが薄く（例えば、閉状態における操作部側筐体２及び表示部側筐体３の合計厚みが１０ｍｍ以内）、操作部側筐体２及び表示部側筐体３の側面に撮像指示キーとしてのサイドキーを設けることができない場合であっても、操作部側筐体２の姿勢に応じて使用者が撮像指示を行いやすい位置に撮像指示キーを設定できる。
【００８７】
また、第１実施形態の携帯電話機１によれば、設定部４５３は、操作部側筐体２を操作部２１が設けられている面から視た場合の傾斜角度θ３が時計回りに略４５度であるとき、操作部２１における所定のキーのうちの入力操作キー１４ｃを撮像指示キーに設定する。また、設定部４５３は、操作部側筐体２を操作部２１が設けられている面から視た場合の傾斜角度θ４が反時計回りに略４５度であるとき、操作部２１における所定のキーのうちの入力操作キー１４ｃとは異なる入力操作キー１４ｄを撮像指示キーに設定する。
【００８８】
これにより、操作部側筐体２の傾斜が基準方向Ｄに対して斜め方向の場合であっても、使用者が撮像指示を行いやすい位置に撮像指示キーを設定することができる。
【００８９】
また、第１実施形態の携帯電話機１によれば、設定部４５３は、操作部側筐体２と表示部側筐体３とが互いに開かれた状態（開状態）で操作部２１における所定のキーを撮像指示キーに設定する。これにより、操作部側筐体２が傾斜しやすい開状態におけるカメラ２３１による撮像を好適に行うことができる。
【００９０】
また、第１実施形態の携帯電話機１によれば、所定の態様で報知を行う報知部と、設定部４５３により所定のキーを撮像指示キーに設定された場合、この撮像指示キーが設定されたことを報知部により所定の態様で報知させる報知制御部４５４とを有する。したがって、使用者は、報知部による報知により撮像指示キーの位置を認識し、カメラ２３１による撮像を好適に行うことができる。
【００９１】
＜第２実施形態＞
次に、本発明の携帯電話機１の第２実施形態について説明する。
なお、第２実施形態の説明にあたっては、第１実施形態と同一の構成要件については同一符号を付し、その説明を省略もしくは簡略化する。第２実施形態の携帯電話機１は、加速度センサ４６を用いない点及び傾斜角度検出部４５１を備えない点及び取得部４５２の構成が異なる点並びに選択表示部４５５を備える点が第１実施形態とは主として異なり、他の構成は第１実施形態と同様の構成を備える。
【００９２】
第２実施形態の携帯電話機１は、カメラ２３１により撮像を行う際に操作部側筐体２の姿勢を選択する機能を有している。
【００９３】
以下に、第２実施形態の携帯電話機１の機能を発揮するための構成と動作について詳述する。
先ず、第２実施形態の携帯電話機１の機能を発揮するための構成について、図８を参照しながら説明する。図８は、第２実施形態の携帯電話機１の機能を示すブロック図である。
【００９４】
制御部４５は、取得部４５２と、設定部４５３と、報知制御部４５４と、選択表示部４５５と、を備える。なお、設定部４５３及び報知制御部４５４は、第１実施形態と同様の機能であるため、説明を省略する。
【００９５】
選択表示部４５５は、操作部側筐体２の姿勢を選択するための選択メニューを表示部３１に表示する。
【００９６】
取得部４５２は、カメラ２３１により撮像する際の操作部側筐体２の姿勢を、選択表示部４５５により表示部３１に表示される選択メニューから選択することにより操作部側筐体２の姿勢を取得する。
【００９７】
ここで、選択表示部４５５により表示部３１に表示される選択メニューについて具体例を挙げて説明する。図９は、選択表示部４５５により表示部３１に表示される選択メニューの具体例を示す図である。図９に示すように、選択表示部４５５は、カメラ２３１が起動されると、表示部３１にメッセージ３１０及び選択メニュー３１１を表示させる。選択メニュー３１１は、メニュー３１２〜３１４により構成されている。
【００９８】
具体的には、メッセージ３１０には、撮像する際の操作部側筐体２の姿勢を使用者に喚起するために「撮像する際の向きを決定してください」のメッセージが表示されている。
【００９９】
また、メニュー３１２〜３１４には、それぞれ操作部側筐体２の姿勢と対応するメッセージが表示されている。つまり、メニュー３１２には、「縦向き」、メニュー３１３には、「右向き」、メニュー３１４には、「左向き」がそれぞれ表示されている。ここで、「縦向き」は、操作部側筐体２を操作部２１が設けられている面から視た場合の傾斜角度θ０が略０度であるとき（図５（ａ）参照）に相当する。また、「右向き」は、操作部側筐体２を操作部２１が設けられている面から視た場合の傾斜角度θ１が時計回りに略９０度であるとき（図５（ｂ）参照）に相当する。また、「左向き」は、操作部側筐体２を操作部２１が設けられている面から視た場合の傾斜角度θ２が反時計回りに略９０度であるとき（図５（ｃ）参照）に相当する。
【０１００】
取得部４５２は、操作部２１における選択操作により選択メニュー３１１のうちからいずれか一つのメニューを選択することにより操作部側筐体２の姿勢を取得する。
【０１０１】
次に、第２実施形態の携帯電話機１に係るカメラ２３１により撮像を行う際の動作について、図１０を参照しながら説明する。図１０は、第２実施形態の携帯電話機１に係るカメラ２３１により撮像を行う際の動作について示すフローチャートである。
【０１０２】
ステップＳ１１において、制御部４５は、操作部２１による所定の操作に応じてカメラ２３１を起動させる。
【０１０３】
ステップＳ１２において、選択表示部４５５は、操作部側筐体２の姿勢を選択するための選択メニュー３１１（図９参照）を表示部３１に表示する。
【０１０４】
ステップＳ１３において、取得部４５２は、選択メニュー３１１のうちからいずれか一つの選択メニューを選択する。そして、取得部４５２は、選択された選択メニューに応じた操作部側筐体２の姿勢を取得する。
【０１０５】
ステップＳ１４において、設定部４５３は、取得部４５２により取得される操作部側筐体２の姿勢に応じて操作部２１における所定のキーを、撮像指示を行う撮像指示キーに設定する。
【０１０６】
ステップＳ１５において、報知制御部４５４は、設定部４５３により設定された撮像指示キーを、報知部により所定の態様で報知させる。
【０１０７】
ステップＳ１６において、カメラ２３１は、ステップＳ１４において設定された撮像指示キーによる撮像指示に応じて被写体の撮像を行う。
【０１０８】
第２実施形態の携帯電話機１によれば、例えば以下のような効果を奏する。
取得部４５２は、カメラ２３１により撮像する際の操作部側筐体２の姿勢を選択することにより操作部側筐体２の姿勢を取得する。これにより、例えば、携帯電話機１が加速度センサ４６を有さない場合であっても、取得部４５２により操作部側筐体２の姿勢を取得することによって操作部側筐体２の姿勢に応じて使用者が撮像指示を行いやすい位置に撮像指示キーが設定される。したがって、使用者は、カメラ２３１による撮像を好適に行うことができる。
【０１０９】
また、上述した第１及び第２実施形態の携帯電話機１は、操作部側筐体２及び表示部側筐体３の厚みが薄く（例えば、閉状態における操作部側筐体２及び表示部側筐体３の合計厚みが１０ｍｍ以内）、操作部側筐体２及び表示部側筐体３の側面に撮像指示キーとしてのサイドキーを設けることができない場合に特に有効である。
【０１１０】
以上、本発明の実施形態について説明したが、本発明は上述した実施形態に制限されるものではなく、適宜変更が可能である。
【０１１１】
例えば、第１実施形態の携帯電話機１において傾斜角度検出部４５１は、加速度センサ４６により出力された加速度値及びメモリ４４において加速度値に関連付けて記憶される操作部側筐体２の傾斜角度に基づいて操作部側筐体２の傾斜角度を検出したが、本発明はこれに限らず、例えば、角度検出センサを用いて操作部側筐体の傾斜角度を検出してもよい。また、第１実施形態の携帯電話機１では、基準方向Ｄを操作部側筐体２の長手方向としたが、本発明はこれに限らず、操作部側筐体２及び表示部側筐体３における所定の方向を基準方向Ｄとしてもよい。
【０１１２】
また、第１及び第２実施形態では、本発明を携帯電子機器としての携帯電話機１に適用したが、これに限らない。すなわち、本発明を、情報携帯端末（ＰＤＡ）、ノートパソコン、デジタルカメラ、小型オーディオプレーヤー等の他の携帯電子機器に適用してもよい。
【符号の説明】
【０１１３】
１  携帯電話機（携帯電子機器）
２１  操作部
４４  メモリ
４５  制御部
４６  加速度センサ
２３１  カメラ（撮像部）
４５１  傾斜角度検出部
４５２  取得部
４５３  設定部
４５４  報知制御部
４５５  選択表示部
【図１】
2010199769.tif 000003
【図２】
2010199769.tif 000004
【図３】
2010199769.tif 000005
【図４】
2010199769.tif 000006
【図５】
2010199769.tif 000007
【図６】
2010199769.tif 000008
【図７】
2010199769.tif 000009
【図８】
2010199769.tif 000010
【図９】
2010199769.tif 000011
【図１０】
2010199769.tif 000012